【手続補正書】
【提出日】平成22年8月25日(2010.8.25)
【手続補正１】
【補正対象書類名】特許請求の範囲
【補正対象項目名】全文
【補正方法】変更
【補正の内容】
【特許請求の範囲】
【請求項１】
読影対象画像から、コンピュータ処理によって医学的な診断情報を得る診断処理手段と、
前記読影対象画像の読影結果としての読影情報を入力する入力手段と、
前記診断情報と前記読影情報との一致度を算出する算出手段と、
前記算出手段で算出された一致度が予め定められた閾値を超える場合に、前記診断処理手段で取得された前記診断情報の提示を許可する許可手段とを備えることを特徴とする医用診断支援装置。
【請求項２】
前記算出手段は、
前記読影情報と前記診断情報に含まれる所見の数を比較した結果と、
前記診断情報に含まれる所見の各々について、所見の記述内容に基づいて検出のしやすさの度合いを判定し、前記検出のしやすさの度合いが所定値より大きい所見に関して、前記読影情報と前記診断情報に含まれる所見の数を比較した結果と、
に基づいて前記一致度を算出することを特徴とする請求項１に記載の医用診断支援装置。
【請求項３】
前記算出手段は、
前記読影情報と前記診断情報に含まれる所見が有する所見項目毎の一致度を算出し、
前記所見項目毎の一致度に基づいて、前記読影情報と前記診断情報に含まれる所見毎の一致度を算出し、
前記所見毎の一致度に基づいて前記読影情報と前記診断情報の総合的な一致度を算出することを特徴とする請求項１に記載の医用診断支援装置。
【請求項４】
前記総合的な一致度は、前記読影情報に含まれている全所見について、所見毎の一致度に、当該所見に含まれる所見項目に基づいて決定される重要度を乗じた値を加算した値と、前記診断情報に含まれる全所見の重要度の加算値の比を一致度とすることを特徴とする請求項３に記載の医用診断支援装置。
【請求項５】
前記総合的な一致度は、前記読影情報に含まれる所見の所見毎の一致度の加算値を、前記診断情報に含まれる全所見の数で除した値を一致度とすることを特徴とする請求項３に記載の医用診断支援装置。
【請求項６】
過去の医用画像とこれに関連する過去の読影情報を格納した格納手段と、
読影対象画像から、コンピュータ処理によって医学的な診断情報を得る診断処理手段と、
前記読影対象画像の読影結果としての読影情報を入力する入力手段と、
前記格納手段から前記読影対象画像と関連する過去の医用画像を特定し、特定された過去の医用画像に対応する過去の読影情報を前記格納手段から取得する取得手段と、
前記取得手段で取得された過去の読影情報と、前記入力手段で入力された読影情報に含まれている記述の一致度を算出する算出手段と、
前記算出手段で算出した一致度が予め定められた閾値を越える場合に、前記診断処理手段で取得された前記診断情報の提示を許可する許可手段とを備えることを特徴とする医用診断支援装置。
【請求項７】
前記取得手段は、前記格納手段に格納された過去の医用画像のうち前記読影対象画像との画像間の類似度が最も高い画像を、前記読影対象画像と関連する過去の医用画像として特定することを特徴とする請求項６に記載の医用診断支援装置。
【請求項８】
前記特定された過去の医用画像と前記読影対象画像との類似度に基づいて、前記閾値を変更する変更手段を更に備えることを特徴とする請求項７に記載の医用診断支援装置。
【請求項９】
前記取得手段は、前記読影対象画像の被検者に対する過去の医用画像のうちの最新の医用画像を前記読影対象画像と関連する過去の医用画像として特定することを特徴とする請求項６に記載の医用診断支援装置。
【請求項１０】
過去の医用画像とこれに関連する過去の読影情報を格納した格納手段と、
前記格納手段から前記読影対象画像と関連する過去の医用画像を特定し、特定された過去の医用画像に対応する過去の読影情報を前記格納手段から取得する取得手段と、
前記取得手段で特定された過去の医用画像を前記診断処理手段によって処理して得られた診断情報と、前記取得手段で取得された過去の読影情報との一致度を前記算出手段により算出し、算出された一致度に基づいて前記閾値を変更する変更手段とを更に備えることを特徴とする請求項１に記載の医用診断支援装置。
【請求項１１】
医用診断支援装置の制御方法であって、
診断処理手段が、読影対象画像から、コンピュータ処理によって医学的な診断情報を得る診断処理工程と、
入力手段が、前記読影対象画像の読影結果としての読影情報を入力する入力工程と、
算出手段が、前記診断情報と前記読影情報との一致度を算出する算出工程と、
許可手段が、前記算出工程で算出された一致度が予め定められた閾値を超える場合に、前記診断処理工程で取得された前記診断情報の提示を許可する許可工程とを有することを特徴とする医用診断支援装置の制御方法。
【請求項１２】
過去の医用画像とこれに関連する過去の読影情報を格納した格納手段を備えた医用診断支援装置の制御方法であって、
診断処理手段が、読影対象画像から、コンピュータ処理によって医学的な診断情報を得る診断処理工程と、
入力手段が、前記読影対象画像の読影結果としての読影情報を入力する入力工程と、
取得手段が、前記格納手段から前記読影対象画像と関連する過去の医用画像を特定し、特定された過去の医用画像に対応する過去の読影情報を前記格納手段から取得する取得工程と、
算出手段が、前記取得工程で取得された過去の読影情報と、前記入力工程で入力された読影情報に含まれている記述の一致度を算出する算出工程と、
許可手段が、前記算出工程で算出した一致度が予め定められた閾値を越える場合に、前記診断処理工程で取得された前記診断情報の提示を許可する許可工程とを有することを特徴とする医用診断支援装置の制御方法。
【請求項１３】
請求項１１または１２に記載の医用診断支援装置の制御方法をコンピュータに実行させるプログラム。
【請求項１４】
請求項１３に記載のプログラムを記憶したコンピュータ読み取り可能な記憶媒体。
【手続補正２】
【補正対象書類名】明細書
【補正対象項目名】００１０
【補正方法】変更
【補正の内容】
【００１０】
また、本発明の他の態様による医用診断支援装置の制御方法は、
医用診断支援装置の制御方法であって、
診断処理手段が、読影対象画像から、コンピュータ処理によって医学的な診断情報を得る診断処理工程と、
入力手段が、前記読影対象画像の読影結果としての読影情報を入力する入力工程と、
算出手段が、前記診断情報と前記読影情報との一致度を算出する算出工程と、
許可手段が、前記算出工程で算出された一致度が予め定められた閾値を超える場合に、前記診断処理工程で取得された前記診断情報の提示を許可する許可工程とを有する。
【手続補正３】
【補正対象書類名】明細書
【補正対象項目名】００１１
【補正方法】変更
【補正の内容】
【００１１】
更に、本発明の他の態様による医用診断支援装置の制御方法は、
過去の医用画像とこれに関連する過去の読影情報を格納した格納手段を備えた医用診断支援装置の制御方法であって、
診断処理手段が、読影対象画像から、コンピュータ処理によって医学的な診断情報を得る診断処理工程と、
入力手段が、前記読影対象画像の読影結果としての読影情報を入力する入力工程と、
取得手段が、前記格納手段から前記読影対象画像と関連する過去の医用画像を特定し、特定された過去の医用画像に対応する過去の読影情報を前記格納手段から取得する取得工程と、
算出手段が、前記取得工程で取得された過去の読影情報と、前記入力工程で入力された読影情報に含まれている記述の一致度を算出する算出工程と、
許可手段が、前記算出工程で算出した一致度が予め定められた閾値を越える場合に、前記診断処理工程で取得された前記診断情報の提示を許可する許可工程とを有する。